(57)【要約】【課題】建物の内壁に張設したクロスを柱際のコーナできれいに、かつ容易に切断することができるカッターを提供する。【解決手段】一対の案内面１２を９０°以下の角度で交差させ、角部をＲ状に面取りし、後方に延びる操作部１３を一体形成したガイド１４には鞘状の取付部１５が突設され、取付部１５にカッターの一側端部が抜き差し可能に差込まれる。カッターは鞘７と、該鞘７にスライド可能に装着される操作部材８と、該操作部材８に後端が軸支されて連結され、操作部材８のスライド操作によって刃先が鞘７先端より出入りする刃６とよりなり、鞘先端の山形をなす頂部はＲ状に面取りされる。取付部１５に差込まれたカッター６は取付部１５を通し、鞘７に捩込まれた止ネジ１８により固定され、止ネジ先端が刃６の峯を押えることにより刃６が傾くことなく固定される。【選択図】図４
2005153064.tif 000002
【特許請求の範囲】
【請求項１】
一対の案内面を９０°以下の角度で交差させ、交差する角部を面取りした樹脂製、木製、或いは金属製等のガイドと、該ガイドに固定される鞘と、該鞘にスライド操作可能に装着され、スライド操作により鞘に沿いスライドする操作部材と、該操作部材を鞘に止着するための止着手段と、上記操作部材に連結され、操作部材のスライド操作によってガイドから出し入れされる刃とよりなることを特徴とするクロス等の切断用カッター。
【請求項２】
一対の案内面を９０°以下の角度で交差させた樹脂製、木製或いは金属製等のガイドと、該ガイドより突設される鞘状の取付部と、該取付部に抜き差し可能に差込まれる鞘と、該鞘にスライド操作可能に装着される操作部材と、該操作部材に連結され、操作部材のスライド操作によってガイドから出し入れされる刃と、上記取付部と鞘を通し、取付部と鞘のうち、少なくとも一方に捩込まれて刃を止着する操作頭部付きの止ネジとよりなることを特徴とするクロス等の切断用カッター。
【請求項３】
鞘の先端が山形をなし、刃先が山形を形成する辺の一辺より突出すると共に、前記一辺がガイドの案内面の延長上に位置することを特徴とする請求項１又は２記載のクロス等の切断用カッター。
【発明の詳細な説明】
【技術分野】
【０００１】
本発明は、例えば建物の内壁や床面に張設したクロスやクッションフロアー（以下、単に「クロス等」という）を壁際、天井際、床際、或いは柱やサッシ枠との際であるコーナできれいにかつ容易に切断することができるカッターに関する。
【背景技術】
【０００２】
従来、例えば図１に示すように建物の内壁１に張設したクロス２を柱３際のコーナ部で切断するときには、ヘラを用いてコーナに沿い、クロスを直角に折り曲げて折り目を付けたのち、定規４を当て、カッターとして例えば図２に示すような市販のカッター５を用いて刃６を鞘７より若干出した状態で定規４よりはみ出るクロス２を定規４に沿い動かして切断していた。
【０００３】
この方法では、片手で定規を押え、もう一方の手でカッター５を掴んで刃を定規４に沿うように動かしながら両手を使って切断作業を行うが、きれいに、かつ素早く切断するのに熟練を要し、またスペースの狭い所では作業自体が容易でなかった。
【０００４】
この問題を解決するため下記特許文献１には、直交する案内板と、直交する案内板を連結する挟持板及び補助板よりなる治具を用い、カッターの鞘を挟持板の挟持孔と補助板の切欠部に通し、かつ刃を直交する案内板頂部の一端に形成される挿通溝に挿通した状態で治具をコーナに当てゝ移動させながらクロス等の切断を行うようにしたもの、下記特許文献２には、断面がコ字形のガイド部を下端縁に備えたベース板の両側に鞘固定板を配置し、ベース板とその両側の鞘固定板によって囲まれる空間内にカッターの鞘を納めて切断刃の刃先をガイド部先端の小溝より突出させ、ガイド部をコーナの直交面に押付けて移動させることによりクロス等の切断を行うようにしたものなどが開示されている。
【特許文献１】実願昭６０―６５５５５号（実開昭６１−１８０６７３号）
【特許文献２】特開平１１−３１９３３６号
【発明の開示】
【発明が解決しようとする課題】
【０００５】
上記特許文献１及び２に開示されるカッター用治具及びカッターには次のような問題があった。
【０００６】
１．上記特許文献１に開示されるカッター用治具は、クロス等を切断するときに片手で治具を押え、もう一方の手でカッターを押えて治具及びカッターをコーナに沿わせて移動させながら切断作業を行うが、両手を用いて治具とカッターが互いにずれないように一体に移動操作するのは容易でない。
片手で治具とカッターを押えて移動操作することも可能ではあるが、治具とカッターがずれないように移動操作して切断作業を行うのにかなりな熟練を要する。しかも治具はコーナでクロス等を直角に折り曲げながら移動させるとき、直交する案内板の先の尖った頂部一端でクロス等が引掛かってクロス等を傷付けるおそれがある。
【０００７】
また上記特許文献２に開示されるカッターは、切断時にガイド部が直交面のいずれかの面に倒れ易く、ガイド部の姿勢が不安定となって作業性が悪く、しかも切断位置が変動しがちで、きれいな切断が行い難い難点がある。
【０００８】
２．クロス等をカッターで切断するときには、クロス等の厚みに応じて切込み量を設定して切断する必要がある。切込み量が設定量より少ないとクロス等を完全に切断することができず、逆に多すぎると下地材まで達し、下地材が石膏製である場合、その表面に貼付されているボードの表面紙まで切断されるため、その切り口と上貼りした壁紙の切り口が冷暖房により伸縮して剥げ易くなる不具合を生ずるようになる。しかしながら上述する特許文献１及び２記載のものでは下記理由により切り込み量をクロス等の厚みに応じた量に設定することが困難である。
【０００９】
第１は、切断時において刃先はクロス等にある程度強く押し当てゝ移動させねばならないが、強く当てるほど、カッターが治具やガイド部内に引込み、刃先も引込んで必要な切込み量を確保できなくなりがちであることであり、
第２は、図２に示すタイプのカッターにおいては、刃６が鞘７にスライド可能に装着される操作部材８を移動操作することにより出し入れされ、操作部材８より突設されるバネ状の突部９が鞘８の凹部１０に嵌合係止されることにより止着されるが、刃の突出量は凹部のピッチにより段階的に調節され、クロス等の厚みに応じた微調整ができないことである。また刃先をクロス等に強く押し当てて切断するとき、突部９が凹部１０を乗り越えて刃先が引込み、必要な切込み量を確保できなくなるおそれがある。
【００１０】
第３は、図２に示すタイプのカッターは、刃６が操作部材８に軸支されることにより鞘７との遊びの範囲内で傾動しうるが、この傾動範囲は、図３に示すように刃６の長さが短く、操作部材８を鞘端に近付ける程大きくなり、切り込み量が微妙に変化することで、刃先の傾動はまた、刃の動きを不安定にし、作業性の低下をもたらしがちである。
【００１１】
本発明の第１の目的は、上記第１の問題を解決し、クロス等をコーナできれいに、かつ容易に切断することができるカッターを提供しようとするものであり、第２の目的は上記第２の問題を解決し、切断時に鞘や刃が動くことなく、しっかりと固定することができるカッターを提供しようとするものである。
【課題を解決するための手段】
【００１２】
請求項１に係る発明は、第１の目的を達成するカッターに関するもので、一対の案内面を９０°以下の角度で交差させ、交差する角部を面取りした樹脂製、木製、或いは金属製等のガイドと、該ガイドに固定、好ましくは取外し可能に固定される鞘と、該鞘にスライド操作可能に装着され、スライド操作により鞘に沿いスライドする操作部材と、該操作部材を鞘に止着するための止着手段と、上記操作部材に連結され、操作部材のスライド操作によってガイドから出し入れされる刃とよりなることを特徴とする。
【００１３】
本発明の止着手段としては、例えば鞘に一定ピッチで形成される凹部と、操作部材より突設され、前記凹部に係脱可能に嵌合係止するバネ状の突部よりなるもの、鞘に捩込まれ、操作部材を止着する止ネジ等が例示される。
【００１４】
操作部材の突部を凹部に嵌合係止させる前者の止着手段においては、刃は一定量ずつ段階的に位置調整され、止ネジによって止着する後者の止着手段においては、操作部材を任意の位置に止着し、刃を無段階に位置調整し微調整することができる。
【００１５】
請求項２に係る発明は、第２の目的を達成するカッターに関するもので、一対の案内面を９０°以下の角度で交差させ、交差する角部を好ましくは面取りした樹脂製、木製或いは金属製等のガイドと、該ガイドより突設される鞘状の取付部と、該取付部に抜き差し可能に差込まれる鞘と、該鞘にスライド操作可能に装着される操作部材と、該操作部材に連結され、操作部材のスライド操作によってガイドから出し入れされる刃と、上記取付部と鞘を通し、取付部と鞘のうち、少なくとも一方に捩込まれて刃を止着する操作頭部付きの止ネジとよりなることを特徴とする。
本発明の操作部つきの止ネジとしては、例えば蝶ネジ、摘みを備えたネジ等が挙げられる。
【００１６】
請求項３に係る発明は、請求項１又は２に係る発明において、鞘の先端が山形をなして、好ましくはその頂部が面取りされ、刃先が山形に形成される辺の一辺より突出すると共に、前記一辺がガイドの案内面の延長上に位置することを特徴とする。
【００１７】
好ましい発明では、請求項１ないし３に係る発明におけるガイドに手で掴むことができる操作部が一体形成され、該操作部を或いは操作部と共に鞘を掴んで切断作業が行われるようにされる。これにより切断作業が容易に行えるようになる。
【発明の効果】
【００１８】
請求項１に係る発明のカッターによると、刃の刃先をガイドより突出させた状態でガイドをコーナのクロス等に当てゝ押し込むと、クロス等がガイドの案内面によって折込まれ、この状態でガイドをコーナに沿って移動させると、クロス等がガイドによって折込まれながら刃先がクロス等に切込みを入れ切断を行うが、カッターにはガイドが固定されているため、片手で容易に切断作業を行うことができること、案内面が交差する角部は、面取りされているため折込時に角部でクロス等を傷付けるおそれがないこと、一対の案内面のうち、少なくとも一方は、コーナを形成する面の一方に接した状態で移動操作することができるから、ガイド部の操作が安定し、きれいな切断を行うことができること等の効果を奏する。
【００１９】
請求項２に係る発明によると、止ネジを捩込むことにより刃を任意の位置にクロス等の厚みに応じて微調整して固定し、しかも傾くことなく固定することができると共に、止ネジを捩込んで刃を固定することにより同時に取付部に差込んだカッターの鞘も固定することができる。すなわち止ネジを捩込むだけで刃を任意の位置で傾くことなく、しっかりと固定することができると共に、カッターの鞘も固定することができる。
【発明を実施するための最良の形態】
【００２０】
図４は、本発明に係るカッターについて示すもので、図５に示すように一対の案内面１２を９０°以下、例えば８０°の角度で交差させて、交差する角部をＲ状に面取りし、後方に延びる操作部１３を一体形成した樹脂製のガイド１４と、該ガイド１４に一体形成されてガイド上に突出する鞘状の金属製取付部１５と、一側端部が取付部１５に差込まれて後述する止ネジにて止着され、操作部上に突出して操作部１３に沿い延びる略Ｃ形断面の鞘７と、該鞘７にスライド可能に装着され、鞘７より突出する表面を平歯状に形成した操作部材８と、該操作部材８より突設されるバネ状の突部９及び鞘７に凹凸が連続する波状をなして形成され、これにより鞘７に一定ピッチで形成され、前記突部９が係脱可能に嵌合係止する凹部１０よりなる操作部材８の止着手段と、取付部１５に形成した取付孔を通して鞘７に捩込まれる摘み１８ａ付きの止ネジ１８と、後端が操作部材８に軸支されて連結され、操作部材８のスライド操作によって先端の刃先が鞘７から出し入れされる刃６とからなり、鞘先端の山形を形成する長辺と短辺のうち、下側の短辺は前記案内面１２の延長上に位置して長辺と交差する角部がＲ状に面取りされ、刃６の刃先が短辺より突出するようになっている。なお、前記ガイド１４と、該ガイド１４より突出する鞘状の取付部１５と、止ネジ１８以外のカッターは、図２に示す市販のカッター５と同じ構成となっている。
【００２１】
図６は、ガイドの別の対応を示すもので、鉄板をＶ形にプレス加工するか、樹脂でＶ形に成形してなるもので、図５に示すガイドと同様、案内面を備えた一対の羽根１６が９０°以下、例えば８０°の角度で交差し、角部をＲ状に面取りしている。
【００２２】
本実施形態のカッターは以上のように構成され、図１に例示されるクロス２をコーナで切断するときには、止ネジ１８を緩めた状態で操作部材８を操作し、クロス２の厚みに応じて刃先の突出量を調整する。調整後、摘み１８ａを摘んで止ネジ１８を捩込み、鞘７から突出する端部で刃６の峯を押え固定する。これにより一端が操作部材８に軸支される刃６は、図７に示すように峯中間部が止ネジ１８により押えられ、刃先側が鞘７に当たった状態で傾くことなく固定される。
【００２３】
その後、図８に示すように操作部１３を掴んでガイド１４をコーナのクロス２に押付け、クロス２をガイド１４の案内面１２によって折込む。そして一対の案内面１２のうちの一方をコーナを形成する面の一方に当てた状態でガイド１４をコーナに沿って移動させ、クロス２をコーナに押込みながら折込んで刃先でクロス２を切断する。
【００２４】
本実施形態のカッターによると、摘み１８ａの操作により止ネジ１８を止着するだけで鞘７の固定と共に、刃６を任意の位置で傾くことなく、しっかりと固定することができること、またクロス２の切断作業はカッターを片手で掴んでコーナに沿って移動させるだけでクロス２をコーナできれいに、かつ容易に切断することができること、ガイド１４が取外し可能で、切断箇所に応じてサイズの大きなものや小さなものに取換えできること、等の効果を奏する。
【産業上の利用可能性】
【００２５】
本発明のカッターは、建物の内壁や床に張設したクロス等をコーナで切断したり、障子や襖を段差のあるコーナで切断するのに使用することができる。
【図面の簡単な説明】
【００２６】
【図１】従来法によるクロスの切断態様を示す図。
【図２】カッターの正面図。
【図３】刃の傾動範囲を示す図。
【図４】本発明に係るガイド付きカッターの正面図。
【図５】図４のＡ−Ａ線における拡大断面図。
【図６】ガイドの別の態様を示す断面図。
【図７】止ネジで刃を固定した状態を示す要部の拡大部分断面正面図。
【図８】切断時における状態を示す図。
【符号の説明】
【００２７】
１・・内壁
２・・クロス
３・・柱
４・・定規
５・・カッター
６・・刃
７・・鞘
８・・操作部材
９・・突部
１０・・凹部
１２・・案内面
１３・・操作部
１４・・ガイド
１５・・取付部
１８・・止ネジ
【図１】
2005153064.tif 000003
【図２】
2005153064.tif 000004
【図３】
2005153064.tif 000005
【図４】
2005153064.tif 000006
【図５】
2005153064.tif 000007
【図６】
2005153064.tif 000008
【図７】
2005153064.tif 000009
【図８】
2005153064.tif 000010